(57)【要約】      （修正有）【課題】録画装置で録画した番組を、録画予約を行なった携帯端末装置で、時間場所を問わず、しかも安定した映像で再生することのできる技術を提供する。【解決手段】携帯端末装置と録画装置とを備えた予約録画システムであって、前記携帯端末装置は、インターネットおよびＬＡＮに接続する通信手段と、動画コンテンツを格納する記憶手段と、インターネットを介して前記録画装置にテレビ番組の録画予約を行なう録画予約要求手段と、ＬＡＮを介して前記録画装置に録画予約に係る動画コンテンツの取得要求を行なう動画コンテンツ取得要求手段とを備え、前記録画装置は、インターネットおよびＬＡＮに接続する通信手段と、前記携帯端末装置からの録画予約要求に係る動画コンテンツを、前記携帯端末装置で再生可能なフォーマットに変換する変換手段と、ＬＡＮを介して前記携帯端末装置に、変換された前記動画コンテンツを送信する動画コンテンツ送信手段とを備える。【選択図】図１
2006339765.tif 000002
【特許請求の範囲】
【請求項１】
所定のフォーマットの動画コンテンツを再生する携帯端末装置とテレビ番組の予約録画を行なう録画装置とを備えた予約録画システムであって、
前記携帯端末装置は、
インターネットおよびＬＡＮに接続する通信手段と、
動画コンテンツを格納する記憶手段と、
インターネットを介して前記録画装置にテレビ番組の録画予約を行なう録画予約要求手段と、
ＬＡＮを介して前記録画装置に録画予約に係る動画コンテンツの取得要求を行なう動画コンテンツ取得要求手段とを備え、
前記録画装置は、
インターネットおよびＬＡＮに接続する通信手段と、
前記携帯端末装置からの録画予約要求に係る動画コンテンツを、前記携帯端末装置で再生可能なフォーマットに変換する変換手段と、
ＬＡＮを介して前記携帯端末装置に、変換された前記動画コンテンツを送信する動画コンテンツ送信手段とを備えることを特徴とする予約録画システム。
【請求項２】
請求項１に記載の予約録画システムであって、
前記録画装置は、
前記携帯端末装置から再生可能な動画コンテンツのフォーマットに関する情報を取得する携帯端末装置情報取得手段と、
取得した前記携帯端末装置で再生可能な動画コンテンツのフォーマットに関する情報を格納する携帯端末装置情報記憶手段とをさらに備えることを特徴とする予約録画システム。
【請求項３】
請求項１に記載の予約録画システムであって、
前記携帯端末装置のコンテンツ取得要求手段は、前記ＬＡＮに接続されると前記動画コンテンツの取得要求を行なうことを特徴とする予約録画システム。
【請求項４】
請求項３に記載の予約録画システムであって、
前記携帯端末装置は、
取得要求を行なう動画コンテンツが前記録画装置に存在しているかどうかを判断する取得判断手段をさらに備え、
前記コンテンツ取得要求手段は、前記ＬＡＮに接続されると、さらに、前記取得判断手段が取得要求を行なう動画コンテンツが前記録画装置に存在していると判断した場合に前記動画コンテンツの取得要求を行なうことを特徴とする予約録画システム。
【請求項５】
請求項２に記載の予約録画システムであって、
前記録画装置は、
前記携帯端末装置からの録画予約要求、前記携帯端末装置で再生可能な動画コンテンツのフォーマットに関する情報、前記携帯端末装置からの録画予約要求に係る動画コンテンツのそれぞれについて前記携帯端末装置の識別子を関連付けて管理することを特徴とする予約録画システム。
【請求項６】
所定のフォーマットの動画コンテンツを再生する携帯端末装置であって、
インターネットおよびＬＡＮに接続する通信手段と、
動画コンテンツを格納する記憶手段と、
インターネットを介して録画装置にテレビ番組の録画予約を行なう録画予約要求手段と、
ＬＡＮを介して前記録画装置に録画予約に係る動画コンテンツの取得要求を行なう動画コンテンツ取得要求手段と、
前記録画装置から送信された動画コンテンツを受信し前記記憶手段に格納する受信手段とを備えることを特徴とする携帯端末装置。
【請求項７】
請求項６に記載の携帯端末装置であって、
前記コンテンツ取得要求手段は、前記ＬＡＮに接続されると前記動画コンテンツの取得要求を行なうことを特徴とする携帯端末装置。
【請求項８】
請求項７に記載の携帯端末装置であって、
取得要求を行なう動画コンテンツが前記録画装置に存在しているかどうかを判断する取得判断手段をさらに備え、
前記コンテンツ取得要求手段は、前記ＬＡＮに接続されると、さらに、前記取得判断手段が取得要求を行なう動画コンテンツが前記録画装置に存在していると判断した場合に前記動画コンテンツの取得要求を行なうことを特徴とする携帯端末装置。
【請求項９】
テレビ番組の予約録画を行なう録画装置であって、
インターネットおよびＬＡＮに接続する通信手段と、
所定のフォーマットの動画コンテンツを再生する携帯端末装置からインターネットを介して録画予約を受け付ける録画予約受付手段と、
前記携帯端末装置からの録画予約に係る動画コンテンツを、前記携帯端末装置で再生可能なフォーマットに変換する変換手段と、
ＬＡＮを介して前記携帯端末装置に、変換された前記動画コンテンツを送信する動画コンテンツ送信手段とを備えることを特徴とする録画装置。
【請求項１０】
請求項９に記載の録画装置であって、
前記携帯端末装置から再生可能な動画コンテンツのフォーマットに関する情報を取得する携帯端末装置情報取得手段と、
取得した前記携帯端末装置で再生可能な動画コンテンツのフォーマットに関する情報を格納する携帯端末装置情報記憶手段とをさらに備えることを特徴とする録画装置。
【請求項１１】
請求項１０に記載の録画装置であって、
前記携帯端末装置からの録画予約要求、前記携帯端末装置で再生可能な動画コンテンツのフォーマットに関する情報、前記携帯端末装置からの録画予約要求に係る動画コンテンツのそれぞれについて前記携帯端末装置の識別子を関連付けて管理することを特徴とする録画装置。
【請求項１２】
所定のフォーマットの動画コンテンツを再生する携帯端末装置とテレビ番組の予約録画を行なう録画装置とを備えた予約録画システムにおける動画コンテンツ処理方法であって、
前記携帯端末装置が、インターネットを介して前記録画装置にテレビ番組の録画予約を行なう録画予約要求ステップと、
前記録画装置が前記録画予約に係る動画コンテンツを前記携帯端末装置で再生可能なフォーマットに変換する変換ステップと、
前記録画装置が、ＬＡＮを介して前記携帯端末装置に、変換された前記動画コンテンツを送信する動画コンテンツ送信ステップとを有することを特徴とする動画コンテンツ処理方法。
【請求項１３】
請求項１２に記載の動画コンテンツ処理方法であって、
録画予約要求ステップに先立ち、前記録画装置が前記携帯端末装置から再生可能な動画コンテンツのフォーマットに関する情報を取得する携帯端末装置情報取得ステップをさらに有することを特徴とする動画コンテンツ処理方法。
【請求項１４】
請求項１２に記載の動画コンテンツ処理方法であって、
前記動画コンテンツ送信ステップは、前記携帯端末装置からの要求に応じて行なわれるものであり、
前記携帯端末装置からの要求は、前記携帯端末装置が前記ＬＡＮに接続されると行なうものであることを特徴とする動画コンテンツ処理方法。
【請求項１５】
請求項１４に記載の動画コンテンツ処理方法であって、
前記携帯端末装置は、前記ＬＡＮに接続されると、取得要求を行なう動画コンテンツが前記録画装置に存在しているかどうかを判断し、存在していると判断した場合に前記動画コンテンツの取得要求を行なうことを特徴とする動画コンテンツ処理方法。
【発明の詳細な説明】
【技術分野】
【０００１】
本発明は、ネットワークを介して録画装置にテレビ番組の録画予約を行なった携帯端末装置で、録画に係るコンテンツを再生する技術に関する。
【背景技術】
【０００２】
携帯電話等の携帯端末装置から自宅の録画装置にインターネットを介して接続し、外出先からテレビ番組の録画予約を行なえる録画システムが実用化されている。また、録画装置で録画した番組を、録画予約を行なった携帯端末装置で視聴することも提案されている。
【０００３】
例えば、特許文献１には、携帯電話から録画予約を受け付けたサーバ装置が、予約に係る番組を録画し、携帯電話からの視聴要求に対して携帯電話に適したデータ形式に変換し、インターネット（電子ネットワーク）を介してストリーム形式で携帯電話に送信することで、録画予約した番組を自宅に戻らなくても視聴できる技術が開示されている。
【０００４】
【特許文献１】特開２００３−３３９０４１号公報
【発明の開示】
【発明が解決しようとする課題】
【０００５】
特許文献１に開示された技術は、録画されたコンテンツがインターネットを介してストリーム形式で携帯端末装置に送られるため、再生に際しての時間と場所の自由度に制約が生じる。また、インターネットの通信経路の影響を受けやすく、安定した映像の再生が困難な場合が生じ得る。
【０００６】
本発明は、録画装置で録画した番組を、録画予約を行なった携帯端末装置で、時間、場所を問わず、しかも安定した映像で再生することのできる技術を提供することを目的とする。
【課題を解決するための手段】
【０００７】
上記課題を解決するため、本発明では、所定のフォーマットの動画コンテンツを再生する携帯端末装置とテレビ番組の予約録画を行なう録画装置とを備えた予約録画システムにおいて、携帯端末装置は、インターネットを介して録画装置に録画予約を行なう。録画装置は、録画予約に係る動画コンテンツを携帯端末装置で再生可能なフォーマットに変換し、ＬＡＮを介して携帯端末装置に送信する。このようにして、携帯端末装置にフォーマット変換済みの動画コンテンツが格納されることにより、携帯端末装置のユーザは、携帯端末装置を用いて、時間、場所を問わず、しかも安定した映像で予約録画した動画コンテンツを再生することができるようになる。
【０００８】
より具体的には、
所定のフォーマットの動画コンテンツを再生する携帯端末装置とテレビ番組の予約録画を行なう録画装置とを備えた予約録画システムであって、
前記携帯端末装置は、
インターネットおよびＬＡＮに接続する通信手段と、
動画コンテンツを格納する記憶手段と、
インターネットを介して前記録画装置にテレビ番組の録画予約を行なう録画予約要求手段と、
ＬＡＮを介して前記録画装置に録画予約に係る動画コンテンツの取得要求を行なう動画コンテンツ取得要求手段とを備え、
前記録画装置は、
インターネットおよびＬＡＮに接続する通信手段と、
前記携帯端末装置からの録画予約要求に係る動画コンテンツを、前記携帯端末装置で再生可能なフォーマットに変換する変換手段と、
ＬＡＮを介して前記携帯端末装置に、変換された前記動画コンテンツを送信する動画コンテンツ送信手段とを備えることを特徴とする。
【発明の効果】
【０００９】
本発明によれば、録画装置で録画した番組を、録画予約を行なった携帯端末装置で、時間、場所を問わず、しかも安定した映像で再生することが可能となる。
【発明を実施するための最良の形態】
【００１０】
本発明の実施の形態について図面を参照して説明する。
【００１１】
図１は、本実施形態のシステム構成の一例を示す図である。本図に示すように、携帯端末装置３０は、屋外（宅外）において、携帯端末装置用の基地局８０を介してインターネット７０に接続可能となっている。
【００１２】
また、携帯端末装置３０のユーザは、家庭内においていわゆるホームネットワーク６０を構築している。ホームネットワーク６０は、中継経路の制御を行なうルータ５０と、ルータ５０に接続された録画再生装置１０、無線送受信装置５５を備えており、ルータ５０を介してインターネット７０に接続している。そして、携帯端末装置３０は、宅内において、無線送受信装置５５を介してホームネットワーク６０に加わることができるようになっている。
【００１３】
なお、ホームネットワーク６０は通信形態は有線無線を問わず、イーサネット（商標）、無線ＬＡＮ（ＩＥＥＥ  ８０２．１１ｂ）、Ｂｌｕｅｔｏｏｔｈ（商標）、ＵＷＢ（商標）等を用いることができる。無線送受信装置５５は、携帯端末装置３０がホームネットワーク６０に参加する際の通信形態に応じた装置とすることができ、例えば、無線アクセスポイント、Ｂｌｕｅｔｏｏｔｈネットワークアダプタ等とすることができる。また、本発明はホームネットワークに限られず、ＬＡＮ（Local Area Network）全般に適用することができる、
録画再生装置１０は、いわゆるネットワーク情報家電の機能を備えたテレビ番組録画再生装置である。録画再生装置１０は、例えば、ハードディスクレコーダ、ＡＶ機能を備えたパーソナルコンピュータ、ネットワーク対応のテレビ受信装置等を用いて構成することができる。録画再生装置１０がテレビ番組を録画する媒体は、本実施形態では内蔵ハードディスク装置とするが、これに限られず、例えば、ＤＶＤ、ブルーレイディスク、ビデオテープ等を用いるようにしてもよい。
【００１４】
携帯端末装置３０は、基地局８０を介したインターネット接続機能と無線送受信装置５５を用いたネットワーク接続機能とを備えた可搬型の情報処理装置である。また、携帯端末装置３０は、動画コンテンツの再生機能および動画コンテンツを格納する記録媒体を備えている。携帯端末装置３０が再生可能な動画コンテンツのデータフォーマットは、あらかじめ定められているものとする。
【００１５】
携帯端末装置３０は、例えば、携帯電話、ＰＤＡ（Personal Digital Assistant）、ノート型パソコン、カーナビケーション装置等を用いて構成することができる。
【００１６】
ホームネットワーク６０内において、携帯端末装置３０と録画再生装置１０とルータ５０とは、例えば、ＵＰｎＰを実装しており、互いのデバイスの発見機能、デバイスが提供可能なサービスの通知機能、ＤＨＣＰサーバがないネットワーク環境でも自動的にネットワークに参加することが可能なＡｕｔｏＩＰ機能等を備えているものとする。これにより、携帯端末装置３０が宅内に存在するときは、録画再生装置１０と携帯端末装置３０とは互いに疎通している状態となる。
【００１７】
ここで、本実施形態の概要について説明する。本実施形態において、携帯端末装置３０のユーザは、外出先から携帯端末装置３０を用いて録画再生装置１０にアクセスし、テレビ番組の録画予約を行なうことができる。ここでの通信はインターネット７０を経由して行なわれる。ただし、ホームネットワーク６０内の通信で行なうようにしてもよい。
【００１８】
録画予約を受け付けた録画再生装置１０は、予約時間に指定された番組の録画を行なう。このとき、録画した番組の動画コンテンツは、携帯端末装置３０で再生可能なフォーマットに変換（トランスコーディング）してハードディスク装置に格納する。このフォーマット変換を行なうため、録画再生装置１０は、携帯端末装置３０で再生可能なフォーマットの情報をあらかじめ記憶している。
【００１９】
その後、携帯端末装置３０のユーザが帰宅して、無線送受信装置５５を介してホームネットワーク６０に接続すると、録画再生装置１０は、予約録画した番組の動画コンテンツを携帯端末装置３０に送信する。そして、携帯端末装置３０は、受信した動画コンテンツを内蔵する記録媒体に格納する。
【００２０】
この動画コンテンツは携帯端末装置３０で再生可能なフォーマットで記録されているため、携帯端末装置３０のユーザは、受信後、時間、場所を問わず録画した番組を視聴することができるようになる。しかも、動画コンテンツは携帯端末装置３０に格納されているため、再生時には通信経路の影響を受けず、安定した再生映像を得ることができる。
【００２１】
なお、録画再生装置１０から携帯端末装置３０への動画コンテンツの送信は、携帯端末装置３０のホームネットワーク６０への接続に伴い自動的に行なうことが、ユーザの利便性の観点から望ましい。また、動画コンテンツを携帯端末装置３０で再生可能なフォーマットへ変換する処理は、録画再生装置１０から携帯端末装置３０への動画コンテンツの送信時に行なうようにしてもよい。
【００２２】
次に、録画再生装置１０および携帯端末装置３０の構成について説明する。
【００２３】
図２は、録画再生装置１０の機能構成の一例を示すブロック図である。本図に示すように録画再生装置１０は、制御部１１、通信制御部１２、チューナ部１３、録画処理部１４、トランスコード処理部１５、プログラム格納部１８、録画情報記録部１９、端末情報記録部２０、コンテンツ管理情報記録部２１を備えており、各機能部はバス２２を介して接続されている。
【００２４】
制御部１１は、ＣＰＵ、主記憶装置等を有しており、録画再生装置１０における各処理の制御を行なう。
【００２５】
通信制御部１２は、ホームネットワーク６０を介してホームネットワーク内外の装置との情報の送受信の制御を行なう。
【００２６】
チューナ部１３は、テレビ放送を受信するための処理を行なう。チューナ部１３は、例えば、ＣＡＴＶチューナ、アナログ放送チューナ、地上デジタル放送チューナ、ＢＳデジタル放送チューナ、ＣＳデジタル放送チューナ等を用いて構成することができる。
【００２７】
録画処理部１４は、チューナ部１３が受信したテレビ放送の映像を必要に応じて符号化して録画情報記録部１９に記録する。録画処理部１４は、ハードウェアあるいはソフトウェアにより構成することができる。
【００２８】
プログラム格納部１８、録画情報記録部１９、端末情報記録部２０、コンテンツ管理情報記録部２１はハードディスク装置、光ディスク等の記憶媒体上に記憶領域として構成することができる。
【００２９】
プログラム格納部１８は、録画再生装置１０の処理に必要な各種プログラムをあらかじめ格納している記憶領域である。録画再生装置１０の処理に必要な各種プログラムは、例えば、動画コンテンツのフォーマット変換のためのプログラム、ネットワークを介して録画予約を受け付けるＷｅｂサーバ機能を実現するためのプログラム、ホームネットワーク６０を介して携帯端末装置３０に画像コンテンツを送信するためのプログラム等とすることができる。
【００３０】
録画情報記録部１９は、ユーザから設定を受け付けた録画予約情報および録画処理部１４により録画されたテレビ放送番組を記録する。さらに、録画情報記録部１９は、携帯端末装置３０用にフォーマット変換された動画コンテンツも記録することができる。
【００３１】
端末情報記録部２０は、携帯端末装置３０の記憶容量、画面サイズ、再生可能なコンテンツのフォーマット等の携帯端末装置３０に関する情報を記録する。本実施形態では複数の携帯端末装置３０を用いることができ、録画再生装置１０はそれぞれの携帯端末装置３０を、例えば、端末ＩＤを用いて区別することができる。
【００３２】
端末情報記録部２０は、例えば、図４に示すような機器属性情報テーブル１００により携帯端末装置３０に関する情報を管理する。
【００３３】
本図に示すように機器属性情報テーブル１００は、端末ＩＤ１０１、全メモリ容量１０２、残メモリ容量１０３、画面サイズ１０４、動画フォーマット１０５、音声フォーマット１０６を１レコードとして記録している。
【００３４】
ここで、端末ＩＤ１０１は、携帯端末装置３０を識別するための識別子である。端末ＩＤは、例えば、携帯端末装置３０の電話番号を用いることができる。全メモリ容量１０２は携帯端末装置３０の記憶容量であり、残メモリ容量１０３はそのうちの使用可能な残り容量である。画面サイズ１０４は、携帯端末装置３０が備える表示画面のサイズである。動画フォーマット１０５および音声フォーマット１０６は、携帯端末装置３０が再生可能な動画および音声のフォーマットである。
【００３５】
コンテンツ管理情報記録部２１は、携帯端末装置３０からの録画予約にしたがって録画したコンテンツを管理するための情報を記録する。
【００３６】
コンテンツ管理情報記録部２１は、例えば、図６に示すようなコンテンツ管理情報テーブル３００により録画する（録画した）コンテンツに関する情報を管理する。
【００３７】
本図に示すように、コンテンツ管理情報テーブル３００は、コンテンツ管理ＩＤ３０１、端末ＩＤ３０２、番組名３０３、年月日３０４、開始時刻３０５、終了時刻３０６、チャンネル３０７、変換状態３０８、トランスコードタイミング３０９を１レコードとして記録している。１つのレコードは１つの録画予約に対応するものであり、録画再生装置１０が携帯端末装置３０から録画予約情報を受け付けると、受け付けた予約情報に基づいて作成される。
【００３８】
ここで、コンテンツ管理ＩＤ３０１は、それぞれのレコード、すなわち録画予約を識別するための識別子である。端末ＩＤ３０２は、録画予約を行なった携帯端末装置３０の端末ＩＤである。この端末ＩＤは、機器属性情報テーブル１００の端末ＩＤ１０１に記録されている端末ＩＤと対応付けられる。このため、録画再生装置１０は、複数の携帯端末装置３０からの録画予約をどの携帯端末装置３０からの録画予約であるかを識別することができる。番組名３０３、年月日３０４、開始時刻３０５、終了時刻３０６、チャンネル３０７は、それぞれ録画する（録画した）番組に関する情報である。変換状態３０８は、携帯端末装置３０に対応したフォーマットに変換するコンテンツの生成状態を示す。生成状態３０８は、例えば、「完了」「未実施」あるいは「５０％」のような変換の度合いが記録される。トランスコードタイミング３０９は、フォーマット変換を行なうタイミングである。トランスコードタイミング３０９は、例えば、「コンテンツ送信時」「録画と同時」「録画終了後」等が記録される。
【００３９】
図３は、携帯端末装置３０の機能構成の一例を示すブロック図である。本図に示すように携帯端末装置３０は、制御部３１、通信制御部３２、入出力部３３、プログラム格納部３４、コンテンツ記録部３５、録画予約情報記録部３６を備えており、各機能部はバス３７を介して接続されている。
【００４０】
制御部３１は、ＣＰＵ、主記憶装置等を有しており、携帯端末装置３０における各処理の制御を行なう。
【００４１】
通信制御部３２は、基地局８０と接続して電話網あるいはインターネット７０を介した他装置との通話・通信を制御する処理と、無線送受信装置５５を介してホームネットワーク６０に参加するための処理を行なう。
【００４２】
入出力部３３は、ユーザからの操作を受け付けたり、インタフェースを提供する。また、再生するコンテンツの表示、音声出力等も行なう。入出力部３３は、操作ボタン、液晶表示装置、スピーカ等で構成することができる。
【００４３】
プログラム格納部３４、コンテンツ記録部３５、録画予約情報記録部３６は、半導体メモリ、ハードディスク装置等の記憶媒体上に記憶領域として構成することができる。これらの記録媒体は、携帯端末装置３０に内蔵されているものとするが、着脱式の記憶媒体を用いるようにしてもよい。
【００４４】
プログラム格納部３４は、携帯端末装置３０の処理に必要な各種プログラムをあらかじめ格納している記憶領域である。携帯端末装置３０の処理に必要な各種プログラムは、例えば、録画再生装置１０と通信を行ない録画予約を行なうためのプログラム、録画再生装置１０から送られたコンテンツを再生するためのプログラム等とすることができる。
【００４５】
コンテンツ記録部３５は、録画再生装置１０から取得した動画コンテンツを記録する記憶領域である。すなわち、携帯端末装置３０からの録画予約により録画再生装置１０が録画した番組の動画コンテンツは、ホームネットワーク６０を介してその携帯端末装置３０に送信され、コンテンツ記録部３５に格納されることになる。
【００４６】
録画予約情報記録部３６は、録画再生装置１０に対して設定した録画予約情報を記録する記憶領域である。
【００４７】
録画予約情報記録部３６は、例えば、図５に示すような録画予約情報テーブル２００により録画予約情報を管理する。
【００４８】
本図に示すように録画予約情報テーブル２００は、コンテンツＩＤ２０１、番組名２０２、年月日２０３、開始時刻２０４、終了時刻２０５、チャンネル２０６、Ｄｏｗｎｌｏａｄ状態２０７を１レコードとして管理する。録画予約情報テーブル２００のレコードは、携帯端末装置３０を用いて録画再生装置１０に対して録画予約を設定した際に併せて作成される。
【００４９】
コンテンツＩＤ２０１は、携帯端末装置３０内において録画予約情報テーブル２００の各レコードを識別するための識別子である。上述のコンテンツ管理情報テーブル３００におけるコンテンツ管理ＩＤは、このコンテンツＩＤ２０１と同じ識別子を用いてもよいし、別の識別子を用いてもよい。番組名２０２、年月日２０３、開始時刻２０４、終了時刻２０５、チャンネル２０６は、それぞれ録画対象の番組に関する情報である。Ｄｏｗｎｌｏａｄ状態２０７は、録画予約したコンテンツの取得状況を示す。Ｄｏｗｎｌｏａｄ状態２０７は、例えば、「完了」「未完了」「未実施」等が記録される。
【００５０】
次に、本実施形態における携帯端末装置３０と録画再生装置１０が行なう処理の流れについて説明する。
【００５１】
携帯端末装置３０を用いて、録画再生装置１０に録画予約を設定するためには、あらかじめ携帯端末装置３０を録画再生装置１０に登録しておく。この登録処理について図７のフロー図を参照して説明する。
【００５２】
まず、携帯端末装置３０側で、録画予約に関する初期設定をあらかじめ行なっておく（Ｓ１０１）。初期設定では、例えば、動画コンテンツの携帯端末装置３０に対応したフォーマットへの変換を録画再生装置１０がどのタイミングで行なうかを設定することができる。フォーマット変換のタイミングは、例えば、「録画と同時」「録画終了後」「携帯端末装置への送信時」等から選択するようにする。ただし、いずれかのタイミングに固定するようにしてもよい。あるいは、後述する録画予約時に番組毎に選択するようにしてもよい。
【００５３】
初期設定を終えた携帯端末装置３０は、録画再生装置１０に対して機器登録の要求を行なう（Ｓ１０２）。機器登録の要求は、例えば、ホームネットワーク６０に接続している携帯端末装置３０がユーザからの操作に基づいて行なうことができる。
【００５４】
機器登録の要求には、携帯端末装置３０の電話番号、携帯端末装置３０で再生可能な動画フォーマットおよび音声フォーマットの情報、携帯端末装置３０のメモリ容量、画面サイズ等の情報を含めるようにする。また、フォーマット変換のタイミング情報を含めるようにしてもよい。ただし、フォーマット情報、メモリ容量、画面サイズ等の情報に代え、機器の種類を特定する情報を送信するようにしてもよい。この場合、録画再生装置１０側で、あらかじめ機器の情報を用意しておいたり、特定された機種についてのこれらの情報をインターネット７０を介して収集等するようにする。
【００５５】
録画再生装置１０は、携帯端末装置３０から送信された機器登録要求を受信すると（Ｓ１０３）、機器登録要求に含まれる情報に基づいて、機器登録情報を端末情報記録部２０に登録する（Ｓ１０４）。具体的には、機器属性情報テーブル１００のレコードを新規に作成し、携帯端末装置３０の電話番号を端末ＩＤ１０１に登録する。また、メモリ容量、画面サイズを全メモリ容量１０２、画面サイズ１０４にそれぞれ登録し、再生可能な動画フォーマット、音声フォーマットを動画フォーマット１０５、音声フォーマット１０６にそれぞれ登録する。また、フォーマット変換のタイミング情報が含まれている場合には、その情報も機器登録情報に含めて登録する。
【００５６】
そして、登録が完了すると、登録完了報告を携帯端末装置３０に送信する（Ｓ１０５）。
【００５７】
この登録完了報告を携帯端末装置３０が正常に受信することで、登録処理が終了する（Ｓ１０６）。
【００５８】
なお、上述の例では、端末ＩＤとして携帯端末装置３０の電話番号を用いたが、登録要求を受信した録画再生装置１０が端末ＩＤを発行するようにしてもよい。この場合には、録画再生装置１０が携帯端末装置３０に送信する登録完了報告に端末ＩＤを含め、携帯端末装置３０側で記録するようにする。
【００５９】
次に、録画予約処理について図８のフロー図を参照して説明する。
【００６０】
本処理は、例えば、携帯端末装置３０がユーザから番組録画予約の操作を受け付けることで開始する（Ｓ２０１）。ここでは、ユーザは外出しており、携帯端末装置３０は、インターネット７０を介して録画再生装置１０と通信を行なうものとする。
【００６１】
携帯端末装置３０は、録画再生装置１０とインターネット７０を介した接続処理を行なう（Ｓ２０２）。この際に、端末ＩＤを用いた認証を行なうようにする。これにより、通信の安全性を高めるとともに、携帯端末装置３０が複数ある場合でも、どの携帯端末装置３０との通信であるかを識別することができる。
【００６２】
認証を終えると、携帯端末装置３０は、録画再生装置１０から番組表の情報を取得する（Ｓ２０３）。録画再生装置１０は、番組表の情報を、例えばＥＰＧ（Electronic Program Guide）情報として携帯端末装置３０に送信する。
【００６３】
そして、携帯端末装置３０は、番組表を表示装置に表示し、ユーザから予約対象の番組の指定を受け付ける（Ｓ２０４）。これにより、録画対象となる番組名、年月日、開始時刻、終了時刻、チャンネル等の情報が特定される。また、録画モード等の指定もユーザから受け付けるようにしてもよい。
【００６４】
携帯端末装置３０は、これらの情報を録画予約情報として録画再生装置１０に送信する（Ｓ２０５）。この際に、残りメモリ容量の情報を含めることが望ましい。またフォーマット変換のタイミング情報を含めるようにしてもよい。
【００６５】
録画再生装置１０は、携帯端末装置３０から録画予約情報を受信すると（Ｓ２０６）、録画情報記録部１９にコンテンツ管理情報として登録する（Ｓ２０７）。この際にコンテンツＩＤを付して、録画予約情報を識別するようにし、端末ＩＤによりどの携帯端末装置３０からの予約であるかを識別するようにする。また、残りメモリ容量の情報が含まれている場合には、端末情報記録部２０の対応する機器属性情報テーブル１００の残メモリ容量１０３に記録する。
【００６６】
また、機器属性情報テーブル１００あるいは受信した録画予約情報にフォーマット変換のタイミングが記録されている場合には、対応するコンテンツ管理情報テーブルのトランスコードタイミング３０９にその情報を記録する。
【００６７】
そして、録画再生装置１０は、登録完了報告を携帯端末装置３０に送信する（Ｓ２０８）。登録完了報告には、コンテンツＩＤを含めるようにする。ただし、録画再生装置１０の残り容量が足りなかったり、同じ時間帯に他の番組予約がなされている等により携帯端末装置３０からの録画予約を登録することができない場合には、その旨を携帯端末装置３０に送信する。
【００６８】
携帯端末装置３０は、録画再生装置１０からの登録完了報告を受信すると（Ｓ２０９）、予約録画に関する情報を録画予約情報記録部３６に記録する（Ｓ２１０）。この際に、録画再生装置１０から通知されたコンテンツＩＤを番組情報テーブル２００のコンテンツＩＤ２０１に記録して、各予約情報を識別するものとする。
【００６９】
なお、録画予約処理については、すでに種々の手法が実現、提案等されているが、本発明においても上記の例に限られず、種々の手法を用いて行なうことができる。
【００７０】
次に、録画再生装置１０の録画処理について図９のフロー図を参照して説明する。
【００７１】
録画再生装置１０は、時刻とコンテンツ管理情報記録部２１のコンテンツ管理情報テーブル３００とを参照し、録画処理を開始するかどうかを監視する（Ｓ３０１）。
【００７２】
そして、録画を開始すべき時刻になると（Ｓ３０１：Ｙ）、録画対象のコンテンツ管理情報テーブル３００に記録されているトランスコードタイミング３０９を取得する（Ｓ３０２）。ただし、トランスコーディングタイミングが固定の場合には、固定されたタイミングでフォーマット変換処理を行なう。
【００７３】
そして、トランスコードタイミング３０９が「（コンテンツ）送信時」の場合（Ｓ３０２：左）には、通常の録画処理を開始し（Ｓ３０３）、録画終了時刻に録画処理を終了する（Ｓ３０４）。
【００７４】
トランスコードタイミング３０９が「（録画と）同時」の場合（Ｓ３０２：右）には、フォーマット変換を伴う録画処理を開始する（Ｓ３０８）。この場合のフォーマット変換は、携帯端末装置３０の再生可能な動画フォーマットおよび音声フォーマットへの変換である。携帯端末装置３０の再生可能な動画フォーマットおよび音声フォーマットは、端末情報記録部２０の対応する機器属性情報テーブル１００を参照することで把握することができる。そして、録画終了時刻にフォーマット変換を伴う録画処理を終了する（Ｓ３０９）。
【００７５】
トランスコーディングタイミング３０９が「（録画）終了後」の場合（Ｓ３０２：中）には、通常の録画処理を開始し（Ｓ３０５）、録画終了時刻に録画処理を終了する（Ｓ３０６）。そして、録画終了後に、携帯端末装置３０の再生可能な動画フォーマットおよび音声フォーマットへの変換処理を行なう（Ｓ３０７）。
【００７６】
なお、フォーマット変換を行なう際に、携帯端末装置３０の残メモリ容量を考慮し、生成する動画コンテンツのビットレートを調整することができる。このために、フォーマット変換を行なう前に、最新の携帯端末装置３０の残メモリ容量を取得するようにしてもよい。
【００７７】
次に、録画再生装置１０から携帯端末装置３０への動画コンテンツの転送処理を図１０のフロー図を参照して説明する。
【００７８】
本実施形態において、録画再生装置１０から携帯端末装置３０への動画コンテンツの転送処理は、ホームネットワーク６０内で行なわれる。このため、以下の転送処理は、携帯端末装置３０が宅内に存在し、ホームネットワーク６０に参加しており、録画再生装置１０と携帯端末装置３０とが互いに疎通している状態となっていることを前提とする。
【００７９】
なお、動画コンテンツの転送処理は、互いに疎通する状態になると自動的に行なうようにすることが望ましい。これにより、例えば、外出先で携帯端末装置３０を用いて録画予約を行なったユーザが帰宅して、携帯端末装置３０がホームネットワーク６０に加わると、自動的に録画された動画コンテンツが携帯端末装置３０に取り込まれることになり、ユーザの利便性が向上することになる。
【００８０】
携帯端末装置３０は、ホームネットワーク６０に参加すると、録画予約情報記録部３６に記録している録画予約情報テーブル２００を参照して、録画終了時刻２０５が過ぎていてダウンロード状態２０７が「未実施」であるコンテンツがあるかどうかを判断する（Ｓ４０１）。すなわち、未ダウンロードの動画コンテンツがあるかどうかを判断する。なお、携帯端末装置３０から録画再生装置１０に未ダウンロードの録画コンテンツがあるかどうかを問い合わせるようにしてもよい。
【００８１】
その結果、未ダウンロードの動画コンテンツがない場合（Ｓ４０１：Ｎ）には、本処理を終了する。
【００８２】
一方、未ダウンロードの動画コンテンツがある場合（Ｓ４０１：Ｙ）には、録画再生装置１０にコンテンツの取得要求を送信する（Ｓ４０２）。コンテンツ取得要求には、要求元と対象となる動画コンテンツを特定するため、端末ＩＤとコンテンツＩＤとを含めるようにする。
【００８３】
コンテンツ取得要求（Ｓ４０３）を受信した録画再生装置１０は、コンテンツ管理情報記録部２１のコンテンツ管理情報テーブル３００を参照して、コンテンツＩＤで特定されるコンテンツのフォーマット変換が済んでいるかどうかを判断する（Ｓ４０４）。
【００８４】
その結果、フォーマット変換が済んでいる場合には（Ｓ４０４：Ｙ）、その動画コンテンツをコンテンツ取得要求を送ってきた携帯端末装置３０に送信する（Ｓ４０６）。
【００８５】
一方、フォーマット変換が済んでいない場合には（Ｓ４０４：Ｎ）、フォーマット変換を行なう（Ｓ４０５）。この場合のフォーマット変換は、携帯端末装置３０の再生可能な動画フォーマットおよび音声フォーマットへの変換である。携帯端末装置３０の再生可能な動画フォーマットおよび音声フォーマットは、端末情報記録部２０の対応する機器属性情報テーブル１００を参照することで把握することができる。
【００８６】
そして、変換済みの動画コンテンツをコンテンツ取得要求を送ってきた携帯端末装置３０に送信する（Ｓ４０６）。動画コンテンツの送信は、フォーマット変換が完了してから行なってもよいし、完了した部分を順次送信するようにしてもよい。
【００８７】
なお、フォーマット変換を行なう際に、携帯端末装置３０の残メモリ容量を考慮し、生成する動画コンテンツのビットレートを調整することができる。このために、フォーマット変換を行なう前に、最新の携帯端末装置３０の残メモリ容量を取得するようにしてもよい。
【００８８】
携帯端末装置３０は、フォーマット変換済みの動画コンテンツを受信すると（Ｓ４０７）、コンテンツ記録部３５に格納する（Ｓ４０８）。そして、録画予約情報テーブル２００のＤｏｗｎｌｏａｄ状態を「完了」に更新する。
【００８９】
このようにして携帯端末装置３０にフォーマット変換済みの動画コンテンツが格納されることにより、携帯端末装置３０のユーザは、携帯端末装置３０を用いて、時間、場所を問わず、しかも安定した映像で予約録画した動画コンテンツを再生することができるようになる。
【００９０】
なお、本発明は上述した実施の形態の例に限られるものではなく、本発明の要旨を逸脱することなく、種々の構成を取り得ることはもちろんである。
【図面の簡単な説明】
【００９１】
【図１】本実施形態のシステム構成の一例を示す図である。
【図２】録画再生装置１０の機能構成の一例を示すブロック図である。
【図３】携帯端末装置３０の機能構成の一例を示すブロック図である。
【図４】機器属性情報テーブル１００の構成を示す図である。
【図５】録画予約情報テーブル２００の構成を示す図である。
【図６】コンテンツ管理情報テーブル３００の構成を示す図である。
【図７】携帯端末装置３０を録画再生装置１０に登録する登録処理について説明するためのフロー図である。
【図８】録画予約処理について説明するためのフロー図である。
【図９】録画再生装置１０の録画処理について説明するためのフロー図である。
【図１０】録画再生装置１０から携帯端末装置３０への動画コンテンツの転送処理について説明するためのフロー図である。
【符号の説明】
【００９２】
１０…録画再生装置
１１…制御部
１２…通信制御部
１３…チューナ部
１４…録画処理部
１５…トランスコード処理部
１８…プログラム格納部
１９…録画情報記録部
２０…端末情報記録部
２１…コンテンツ管理情報記録部
２２…バス
３０…携帯端末装置
３１…制御部
３２…通信制御部
３３…入出力部
３４…プログラム格納部
３５…コンテンツ記録部
３６…録画予約情報記録部
３７…バス
５０…ルータ
５５…無線送受信装置
６０…ホームネットワーク
７０…インターネット
８０…基地局
１００…機器属性情報テーブル
２００…録画予約情報テーブル
３００…コンテンツ管理情報テーブル
３００…録画予約情報テーブル
【図１】
2006339765.tif 000003
【図２】
2006339765.tif 000004
【図３】
2006339765.tif 000005
【図４】
2006339765.tif 000006
【図５】
2006339765.tif 000007
【図６】
2006339765.tif 000008
【図７】
2006339765.tif 000009
【図８】
2006339765.tif 000010
【図９】
2006339765.tif 000011
【図１０】
2006339765.tif 000012